(57)【要約】【課題】ヘッダ圧縮技術を利用して圧縮パケットを送受信している場合に、基地局間ハンドオーバに伴う通信品質の劣化を抑制する。【解決手段】無線基地局１Ａは、無線端末と接続する無線通信部１０１と、無線通信部１０２と、圧縮ヘッダを含む圧縮パケットを無線端末と送受信するヘッダ圧縮通信時において、無線端末と同期がとられたコンテキストを用いて、圧縮ヘッダの復元または圧縮ヘッダへの圧縮の少なくとも一方を行うヘッダ処理部１４０と、無線端末の接続先を無線通信部１０１から無線通信部１０２へ切り替える基地局内ハンドオーバまたは接続先を他の無線基地局へ切り替える基地局間ハンドオーバを実行させるハンドオーバ制御部１３０とを備え、ハンドオーバ制御部１３０は、ヘッダ圧縮通信時において接続先を切り替える必要が生じた場合、基地局内ハンドオーバを優先して無線端末に実行させる。【選択図】図４
2010154367.tif 000002
【特許請求の範囲】
【請求項１】
通信可能領域であるセルを構成する複数のセクタに対応して設けられ、無線端末と接続する第１無線通信部と、第２無線通信部とを有する複数の無線通信部と、
所定の圧縮率で圧縮された圧縮ヘッダを含む圧縮パケットを前記複数の無線通信部の何れかを介して前記無線端末と送受信するヘッダ圧縮通信時において、前記無線端末と同期がとられたヘッダ圧縮情報を用いて、前記圧縮ヘッダの復元または前記圧縮ヘッダへの圧縮の少なくとも一方を行うヘッダ処理部と、
前記無線端末の接続先を切り替える必要が生じた場合、前記接続先を前記第１無線通信部から前記第２無線通信部へ切り替える基地局内ハンドオーバまたは前記接続先を他の無線基地局へ切り替える基地局間ハンドオーバを前記無線端末に実行させるハンドオーバ制御部と
を備える無線基地局であって、
前記ハンドオーバ制御部は、前記ヘッダ圧縮通信時において前記接続先を切り替える必要が生じた場合、前記基地局間ハンドオーバよりも前記基地局内ハンドオーバを優先して前記無線端末に実行させる無線基地局。
【請求項２】
前記ヘッダ圧縮通信時において前記無線端末が前記基地局内ハンドオーバを実行した後、前記ヘッダ処理部は、前記無線端末が前記基地局内ハンドオーバを実行する前の前記ヘッダ圧縮情報を継続して用いて、前記圧縮ヘッダの復元または前記圧縮ヘッダへの圧縮の少なくとも一方を行う請求項１に記載の無線基地局。
【請求項３】
前記ハンドオーバ制御部は、前記第１無線通信部と前記無線端末との間の無線品質を示す接続中セクタ品質と、前記第２無線通信部と前記無線端末との間の無線品質を示す候補セクタ品質と、前記他の無線基地局と前記無線端末との間の無線品質を示す候補セル品質とを取得し、
前記ヘッダ圧縮通信とは異なる種別の通信時において、前記ハンドオーバ制御部は、
前記候補セクタ品質が前記接続中セクタ品質よりも高い場合、前記基地局内ハンドオーバを前記無線端末に実行させ、
前記候補セル品質が前記接続中セクタ品質よりも高い場合、前記基地局間ハンドオーバを前記無線端末に実行させる請求項１または２に記載の無線基地局。
【請求項４】
前記ヘッダ圧縮通信時において、前記ハンドオーバ制御部は、前記候補セクタ品質または前記候補セル品質の少なくとも一方を調整することにより、前記基地局間ハンドオーバよりも前記基地局内ハンドオーバを優先して前記無線端末に実行させる請求項３に記載の無線基地局。
【請求項５】
前記ヘッダ圧縮通信時において、前記ハンドオーバ制御部は、
前記候補セクタ品質に第１オフセットを加算し、
前記第１オフセットが加算された前記候補セクタ品質が、前記接続中セクタ品質よりも高い場合、前記基地局内ハンドオーバを前記無線端末に実行させる請求項４に記載の無線基地局。
【請求項６】
前記ヘッダ圧縮通信時において、前記ハンドオーバ制御部は、
前記候補セル品質から第２オフセットを減算し、
前記第２オフセットが減算された前記候補セル品質が、前記接続中セクタ品質よりも高い場合、前記基地局間ハンドオーバを前記無線端末に実行させる請求項４または５に記載の無線基地局。
【請求項７】
前記ハンドオーバ制御部は、前記ヘッダ圧縮通信時において前記接続先を切り替える必要が生じた際、前記候補セクタ品質が前記候補セル品質も低く、且つ、前記候補セクタ品質と前記候補セル品質との差が所定範囲内である場合、前記基地局内ハンドオーバを前記無線端末に実行させる請求項１に記載の無線基地局。
【請求項８】
前記ヘッダ圧縮通信とは異なる種別の通信時において、前記ハンドオーバ制御部は、前記接続中セクタ品質および前記候補セクタ品質が、予め定められた第１閾値よりも低い場合、前記基地局間ハンドオーバを前記無線端末に実行させ、
前記ヘッダ圧縮通信時において、前記ハンドオーバ制御部は、前記接続中セクタ品質および前記候補セクタ品質が、前記第１閾値よりも高く設定された第２閾値よりも低い場合、前記基地局間ハンドオーバを前記無線端末に実行させる請求項２〜７の何れか一項に記載の無線基地局。
【請求項９】
複数のセクタによって構成される通信可能領域であるセル内に位置する無線端末と通信する無線通信部と、
前記無線端末が接続先を現在通信中のセクタから他のセクタに切り替える基地局内ハンドオーバまたは前記無線端末が接続先を他の無線基地局へ切り替える基地局間ハンドオーバを前記無線端末に実行させるハンドオーバ制御部と
を備え、
前記ハンドオーバ制御部は、通信規格で規定された情報を含むヘッダ部の一部または全部を省略して前記無線端末と通信している最中に、前記無線端末の接続先を切り替えるとき、前記基地局間ハンドオーバよりも前記基地局内ハンドオーバを優先して前記無線端末に実行させる無線基地局。
【請求項１０】
通信可能領域であるセルを構成する複数のセクタに対応して設けられ、無線端末と接続する第１無線通信部と、第２無線通信部とを有する複数の無線通信部を具備する無線基地局に用いられる無線通信方法であって、
所定の圧縮率で圧縮された圧縮ヘッダを含む圧縮パケットを前記複数の無線通信部の何れかを介して前記無線端末と送受信するヘッダ圧縮通信時において、前記無線端末と同期がとられたヘッダ圧縮情報を用いて、前記圧縮ヘッダの復元または前記圧縮ヘッダへの圧縮の少なくとも一方を行うステップと、
前記無線端末の接続先を切り替える必要が生じた場合、前記接続先を前記第１無線通信部から前記第２無線通信部へ切り替える基地局内ハンドオーバまたは前記接続先を他の無線基地局へ切り替える基地局間ハンドオーバを前記無線端末に実行させるステップと
を備え、
前記実行させるステップでは、前記ヘッダ圧縮通信時において前記接続先を切り替える必要が生じた場合、前記基地局間ハンドオーバよりも前記基地局内ハンドオーバを優先して前記無線端末に実行させる無線通信方法。
【発明の詳細な説明】
【技術分野】
【０００１】
本発明は、ヘッダ圧縮技術を用いる無線基地局および無線通信方法に関する。
【背景技術】
【０００２】
一般的に、無線通信システムにおいては、無線区間における通信品質（以下、無線品質）が不安定であり、有線通信と比較して、安定した通信帯域を確保することが困難である。このため、無線通信システムでは、ＲＴＰ、ＵＤＰ、ＩＰ等のプロトコルを用いて、無線区間を介して伝送されるパケットにおけるヘッダの占める割合、すなわちオーバヘッドを低減するために、ＲｏＨＣ（Robust Header Compression）などのヘッダ圧縮技術が用いられている。
【０００３】
ＲｏＨＣは、連続するパケット間のヘッダの整合性に着目したヘッダ圧縮技術である。具体的には、送信側の通信装置は、既に送信済みのヘッダ内の情報のうち、不変な情報、類推可能な情報、計算により求まる情報については送信を省略し、類推可能な情報を類推するための情報と、類推不可能であって送信毎に変化する情報とをヘッダに含ませて送信する。これにより、ヘッダ内の情報が圧縮（省略）される。
【０００４】
例えば、特許文献１に記載の技術では、送信側の無線端末は、最初に圧縮（省略）していないヘッダを含むパケットを構成し、当該パケットを含んだ無線パケットを送信する。受信側の交換機は、パケットを受信し、ヘッダのうちの省略される部分の情報を記憶する。省略される部分の情報は、ヘッダ圧縮情報（コンテキスト）と称される。次に、無線端末は、省略される部分の情報が実際に省略されたヘッダを含むパケットを構成し、当該パケットを含んだ無線パケットを送信する。交換機は、パケットを受信すると、ヘッダのうちの省略された部分を、コンテキストを用いて復元する。
【０００５】
ＲｏＨＣでは、送信側と受信側とで、コンテキストを共有し、同期をとることにより、送信側が高い圧縮率でヘッダを圧縮しても、受信側でヘッダを復元することが可能となる。
【特許文献１】特開２００７−１８０８７６号公報
【発明の開示】
【発明が解決しようとする課題】
【０００６】
ところで、ＲｏＨＣなどのヘッダ圧縮技術を用いた通信（ヘッダ圧縮通信）では、無線端末と無線基地局との間で、コンテキストの同期をとる必要がある。しかしながら、無線端末は、移動中などにおいてより無線品質の高い無線基地局へ接続先を切り替える、いわゆる基地局間ハンドオーバを行う。基地局間ハンドオーバが行われる場合、切替元の無線基地局から切替先の無線基地局にコンテキストの内容を維持したまま引き継がせることは困難である。
【０００７】
なぜなら、基地局間ハンドオーバが発生した場合、無線端末は、切替先の無線基地局との間でコンテキストの同期をとるべく、オーバヘッドの大きいパケットを切替先の無線基地局と送受信する必要があるからである。したがって、圧縮状態が維持されない。更には、圧縮状態が維持されないことによって、ＲｏＨＣなどのヘッダ圧縮技術を用いたＶｏＩＰ（Voice over Internet Protocol）通信では、主観的な音声品質が劣化するという問題がある。
【０００８】
そこで、本発明は、無線端末がヘッダ圧縮技術を利用して圧縮パケットを送受信している場合に、基地局間ハンドオーバに伴う通信品質の劣化を抑制した無線基地局および無線通信方法を提供することを目的とする。
【課題を解決するための手段】
【０００９】
上述した課題を解決するために、本発明は以下のような側面を有している。まず、本発明の無線基地局の第１の特徴は、通信可能領域であるセル（セルＳ１Ａ）を構成する複数のセクタ（セクタＳＣ１Ａ〜セクタＳＣ４Ａ）に対応して設けられ、無線端末（無線端末２）と接続する第１無線通信部（無線通信部１０１）と、第２無線通信部（無線通信部１０２）とを有する複数の無線通信部（無線通信部１０１〜無線通信部１０４）と、所定の圧縮率で圧縮された圧縮ヘッダを含む圧縮パケットを前記複数の無線通信部の何れかを介して前記無線端末と送受信するヘッダ圧縮通信時において、前記無線端末と同期がとられたヘッダ圧縮情報を用いて、前記圧縮ヘッダの復元または前記圧縮ヘッダへの圧縮の少なくとも一方を行うヘッダ処理部（ヘッダ処理部１４０）と、前記無線端末の接続先を切り替える必要が生じた場合、前記接続先を前記第１無線通信部から前記第２無線通信部へ切り替える基地局内ハンドオーバまたは前記接続先を他の無線基地局（例えば無線基地局１Ｂ）へ切り替える基地局間ハンドオーバを前記無線端末に実行させるハンドオーバ制御部（ハンドオーバ制御部１３０）とを備える無線基地局（無線基地局１Ａ）であって、前記ハンドオーバ制御部は、前記ヘッダ圧縮通信時において前記接続先を切り替える必要が生じた場合、前記基地局間ハンドオーバよりも前記基地局内ハンドオーバを優先して前記無線端末に実行させることを要旨とする。
【００１０】
このような無線基地局によれば、ヘッダ圧縮通信時において無線端末の接続先を切り替える必要が生じた場合、基地局間ハンドオーバよりも基地局内ハンドオーバを優先して無線端末に実行させるため、無線端末がヘッダ圧縮技術を利用して圧縮パケットを送受信していても、基地局間ハンドオーバに伴う通信品質の劣化を抑制できる。
【００１１】
本発明の無線基地局の第２の特徴は、本発明の第１の特徴に係り、前記ヘッダ圧縮通信時において前記無線端末が前記基地局内ハンドオーバを実行した後、前記ヘッダ処理部は、前記無線端末が前記基地局内ハンドオーバを実行する前の前記ヘッダ圧縮情報を継続して用いて、前記圧縮ヘッダの復元または前記圧縮ヘッダへの圧縮の少なくとも一方を行うことを要旨とする。
【００１２】
本発明の無線基地局の第３の特徴は、本発明の第１または２の特徴に係り、前記ハンドオーバ制御部は、前記第１無線通信部と前記無線端末との間の無線品質を示す接続中セクタ品質と、前記第２無線通信部と前記無線端末との間の無線品質を示す候補セクタ品質と、前記他の無線基地局と前記無線端末との間の無線品質を示す候補セル品質とを取得し、前記ヘッダ圧縮通信とは異なる種別の通信時において、前記ハンドオーバ制御部は、前記候補セクタ品質が前記接続中セクタ品質よりも高い場合、前記基地局内ハンドオーバを前記無線端末に実行させ、前記候補セル品質が前記接続中セクタ品質よりも高い場合、前記基地局間ハンドオーバを前記無線端末に実行させることを要旨とする。
【００１３】
本発明の無線基地局の第４の特徴は、本発明の第３の特徴に係り、前記ヘッダ圧縮通信時において、前記ハンドオーバ制御部は、前記候補セクタ品質または前記候補セル品質の少なくとも一方を調整することにより、前記基地局間ハンドオーバよりも前記基地局内ハンドオーバを優先して前記無線端末に実行させることを要旨とする。
【００１４】
本発明の無線基地局の第５の特徴は、本発明の第４の特徴に係り、前記ヘッダ圧縮通信時において、前記ハンドオーバ制御部は、前記候補セクタ品質に第１オフセットを加算し、前記第１オフセットが加算された前記候補セクタ品質が、前記接続中セクタ品質よりも高い場合、前記基地局内ハンドオーバを前記無線端末に実行させることを要旨とする。
【００１５】
本発明の無線基地局の第６の特徴は、本発明の第４または第５の特徴に係り、前記ヘッダ圧縮通信時において、前記ハンドオーバ制御部は、前記候補セル品質から第２オフセットを減算し、前記第２オフセットが減算された前記候補セル品質が、前記接続中セクタ品質よりも高い場合、前記基地局間ハンドオーバを前記無線端末に実行させることを要旨とする。
【００１６】
本発明の無線基地局の第７の特徴は、本発明の第１の特徴に係り、前記ハンドオーバ制御部は、前記ヘッダ圧縮通信時において前記接続先を切り替える必要が生じた際、前記候補セクタ品質が前記候補セル品質も低く、且つ、前記候補セクタ品質と前記候補セル品質との差が所定範囲内である場合、前記基地局内ハンドオーバを前記無線端末に実行させることを要旨とする。
【００１７】
本発明の無線基地局の第８の特徴は、本発明の第２〜第７の何れかの特徴に係り、前記ヘッダ圧縮通信とは異なる種別の通信時において、前記ハンドオーバ制御部は、前記接続中セクタ品質および前記候補セクタ品質が、予め定められた第１閾値よりも低い場合、前記基地局間ハンドオーバを前記無線端末に実行させ、前記ヘッダ圧縮通信時において、前記ハンドオーバ制御部は、前記接続中セクタ品質および前記候補セクタ品質が、前記第１閾値よりも高く設定された第２閾値よりも低い場合、前記基地局間ハンドオーバを前記無線端末に実行させることを要旨とする。
【００１８】
本発明の無線基地局の第９の特徴は、複数のセクタ（セクタＳＣ１Ａ〜セクタＳＣ４Ａ）によって構成される通信可能領域であるセル（セルＳ１Ａ）内に位置する無線端末（無線端末２）と通信する無線通信部（無線通信部１０１〜無線通信部１０４）と、前記無線端末が接続先を現在通信中のセクタから他のセクタに切り替える基地局内ハンドオーバまたは前記無線端末が接続先を他の無線基地局（例えば無線基地局１Ｂ）へ切り替える基地局間ハンドオーバを前記無線端末に実行させるハンドオーバ制御部（ハンドオーバ制御部１３０）とを備え、前記ハンドオーバ制御部は、通信規格で規定された情報を含むヘッダ部の一部または全部を省略して前記無線端末と通信している最中に、前記無線端末の接続先を切り替えるとき、前記基地局間ハンドオーバよりも前記基地局内ハンドオーバを優先して前記無線端末に実行させることを要旨とする。
【００１９】
本発明の無線通信方法の特徴は、通信可能領域であるセルを構成する複数のセクタに対応して設けられ、無線端末と接続する第１無線通信部と、第２無線通信部とを有する複数の無線通信部を具備する無線基地局に用いられる無線通信方法であって、所定の圧縮率で圧縮された圧縮ヘッダを含む圧縮パケットを前記複数の無線通信部の何れかを介して前記無線端末と送受信するヘッダ圧縮通信時において、前記無線端末と同期がとられたヘッダ圧縮情報を用いて、前記圧縮ヘッダの復元または前記圧縮ヘッダへの圧縮の少なくとも一方を行うステップと、前記無線端末の接続先を切り替える必要が生じた場合、前記接続先を前記第１無線通信部から前記第２無線通信部へ切り替える基地局内ハンドオーバまたは前記接続先を他の無線基地局へ切り替える基地局間ハンドオーバを前記無線端末に実行させるステップとを備え、前記実行させるステップでは、前記ヘッダ圧縮通信時において前記接続先を切り替える必要が生じた場合、前記基地局間ハンドオーバよりも前記基地局内ハンドオーバを優先して前記無線端末に実行させることを要旨とする。
【発明の効果】
【００２０】
本発明によれば、無線端末がヘッダ圧縮技術を利用して圧縮パケットを送受信している場合に、基地局間ハンドオーバに伴う通信品質の劣化を抑制した無線基地局および無線通信方法を提供できる。
【発明を実施するための最良の形態】
【００２１】
次に、図面を参照して、本発明の実施形態を説明する。具体的には、（１）全体概略構成、（２）無線基地局の構成、（３）無線基地局の動作、（４）作用・効果、（５）その他の実施形態について説明する。以下の実施形態における図面の記載において、同一または類似の部分には同一または類似の符号を付している。
【００２２】
（１）全体概略構成
まず、本実施形態に係る無線通信システムについて、（１．１）通信システムの構成、（１．２）セル構成の順に説明する。
【００２３】
（１．１）通信システムの構成
図１は、本実施形態に係る通信システム１０の概略構成図である。
【００２４】
図１に示すように、通信システム１０は、無線基地局１Ａ，１Ｂ，１Ｃ…、無線端末２、ＳＩＰサーバ３、インターネット５、およびＳＩＰ電話機４を有する。
【００２５】
無線端末２は、無線基地局１Ａの通信可能領域であるセルＳ１Ａ（図２参照）内に位置し、無線基地局１Ａに接続している。無線基地局１Ａ，１Ｂ，１Ｃ…は、図示を省略するバックボーンネットワークを介して、広域ＩＰネットワークであるインターネット５に接続されている。無線基地局１Ａ，１Ｂ，１Ｃ…のセルは、複数のセクタによって構成される。
【００２６】
ここでセクタとは、無線基地局１Ａに設けられた１つのアンテナ（セクタアンテナ）からの電波が到達する領域であり、当該アンテナとの間で無線通信が可能な領域を意味する。一方、セルとは、何れのアンテナからの電波であるか否かに関わらず、１つの無線基地局との間で無線通信が可能な領域（つまり、ひとつの無線基地局からの電波が到達する領域）である。したがって、１つの無線基地局について、複数のセクタからなる１つのセルが構成される。ただし、以下の説明においては、説明の便宜上、「セクタ」の用語を、セクタを形成する無線通信部の意味で適宜使用している。
【００２７】
無線端末２は、無線基地局１Ａを介して、インターネット上に存在する任意のIPアドレスの通信相手機器と通信を行う。無線端末２にはSIP(Session Initiation Protocol)が搭載されている。無線端末２は、携帯SIP電話として機能する。
【００２８】
無線端末２は、ＶｏＩＰを利用した音声通信を、インターネット５上のＳＩＰ電話機４と実行することができる。無線端末２がＶｏＩＰを実行する場合に、ＳＩＰサーバ３は、無線端末２とＳＩＰ電話機４との間の呼制御を行う呼制御サーバとして機能する。また、無線端末２は、WEBブラウザの機能を持ち、HTTP(HyperText Transfer Protocol)によりインターネット５上のWEBサーバ（不図示）と接続し、WEB閲覧を行うこともできる。
【００２９】
無線端末２および無線基地局１Ａそれぞれにおいて、ＶｏＩＰを利用した音声通信、あるいは他のリアルタイムアプリケーションを実行する際には、ユーザーデータであるRTP/UDP/IPパケットをRｏHCコンプレッサ/デコンプレッサにより圧縮・復元する。すなわち、IPパケットを下位層としてUDP(ユーザーダイアグラムプロトコル)が用いられ、更にその上位層の通信方式としてRTP(リアルタイムトランスポートプロトコル)が用いられる。
【００３０】
ところで、RTP/UDP/IPプロトコルを用いたリアルタイム通信はデファクトスタンダードとなっており、多くの運用共通性確保の為に、これらのプロトコルを選択せざるを得ない場合が多いが、オーバーヘッドが比較的大きい問題がある。RTP/UDP/IPプロトコルのオーバーヘッドを減らして、より狭い帯域しか持たない伝送経路上でメディアパケットを透過させる為の方式として、幾つかのパケットヘッダ圧縮方式が考案されており、その中でRｏHC(ロバストヘッダコンプレッション)がある。
【００３１】
RｏHCは連続するパケット間におけるRTP/UDP/IPヘッダの整合性に着目し、既に送信した情報で不変な情報、類推可能な情報、計算により求まる情報の送信は繰り返し送信せず、類推可能な情報を類推する為の情報と類推不可能でかつ毎回変わる情報とを送信する事により送信するべきパケットヘッダ情報を圧縮する。ここで類推不可能でかつ毎回変わる情報とはRｏHC(RFC3095)のプロファイル1（RTPプロファイル）ではUDPヘッダにおけるチェックサムのみとなる。
【００３２】
このようにRｏHCでは送信側（コンプレッサ）と受信側（デコンプレッサ）でお互いに圧縮対象セッションのヘッダ圧縮情報（コンテキスト）を共有し、同期を取り合うことにより、極度に圧縮された限られた情報の伝達を行っても、受信側ではコンテキストを頼りに圧縮された情報を復元する事が可能となる。
【００３３】
（１．２）セル構成
次に、図２および図３を用いて、無線基地局１Ａ，１Ｂ，１Ｃ…それぞれのセル構成について説明する。図２は、無線基地局１Ａのセル構成の一例を示す図である。
【００３４】
図２（ａ）に示すように、無線基地局１ＡのセルＳ１Ａは、４つのセクタ（セクタＳＣ１Ａ、セクタＳＣ２Ａ、セクタＳＣ３ＡおよびセクタＳＣ４Ａ）により構成される。ただし、セクタの数は４つに限らず、さらに多くても少なくてもよい。
【００３５】
図２（ｂ）〜図２（ｃ）に示すように、３つの指向性アンテナと一つの無指向性アンテナを組み合わせて用いて、４つのセクタを形成する事により、図２（ａ）に示すように、セルＳ１Ａ全体として概ね正三角形の領域をカバーする事がでる。セクタＳＣ１Ａ〜セクタＳＣ３Ａそれぞれは指向性アンテナを用いて形成され、セクタＳＣ４Ａは無指向性アンテナを用いて形成される。
【００３６】
図３は、無線基地局１Ａ，１Ｂ，１Ｃ…のセル配置の一例を示す図である。図３に示すように、このような複数のセクタを含むセルを構成する無線基地局１Ａを効果的に配置する事により、広い平面を効果的に通信可能領域とすることできる。複数のセクタにより１つのセルを構成することで、異なる無線基地局同士、もしくは同じ無線基地局の異なるセクタ同士で周波数が重なると干渉が生じるため、干渉が少なくなるように、隣接するセクタ間で周波数が異なるように設定されている。
【００３７】
無線端末２は、移動が可能である為、ある時点で待ちうけもしくは接続対象として最適であったセクタが、他の時点で最適とはならない可能性がある。よって、無線基地局１Ａは、自基地局のセクタ内で無線接続されている無線端末２との間で、無線端末２が受信する電波の状況報告、無線端末２から受信した電波の状況、のうち少なくとも一方により、無線端末２と自基地局のセクタとの間の無線状況（無線品質）を把握する。
【００３８】
そして、無線基地局１Ａは、無線端末２が報告する他のセクタの無線状況を比較し、当該待ち受け中のセクタに対して、より良いセクタが存在する場合、当該セクタに接続先を切り替える接続切り替えシーケンスを行う。この手続きを一般にハンドオーバ（もしくはハンドオフ）という。図３に示すように、セクタとセクタは一般に重複する領域が有る。このような重複する領域を用意する事により、完全に無線状況が悪化してしまう前に、異なるセクタへのハンドオーバを実現させる。
【００３９】
ハンドオーバには同一のセルを構成する異なるセクタへの切り替えを行う基地局内ハンドオーバと、異なるセルを構成するセクタへの切り替えを行う基地局間ハンドオーバが存在する。
【００４０】
（２）無線基地局の構成
図４は、無線基地局１Ａの構成を示す機能ブロック図である。
【００４１】
（２．１）無線基地局の概略構成
図４に示すように、無線基地局１Ａは、無線通信部１０１、無線通信部１０２、無線通信部１０３、無線通信部１０４、信号処理部１１５、制御部１２０および有線通信部１６０を有する。
【００４２】
無線通信部１０１、無線通信部１０２、無線通信部１０３および無線通信部１０４は、セクタＳＣ１Ａ、セクタＳＣ２Ａ、セクタＳＣ３ＡおよびセクタＳＣ４Ａにそれぞれ対応している。すなわち、無線通信部１０１によってセクタＳＣ１Ａが形成され、無線通信部１０２によってセクタＳＣ２Ａが形成され、無線通信部１０３によってセクタＳＣ３Ａが形成され、無線通信部１０４によってセクタＳＣ４Ａが形成される。
【００４３】
無線通信部１０１は、アンテナＡ１および高周波部（以下、ＲＦ部）１１１を有する。無線通信部１０２は、アンテナＡ２およびＲＦ部１１２を有する。無線通信部１０３は、アンテナＡ３およびＲＦ部１１３を有する。無線通信部１０４は、アンテナＡ４およびＲＦ部１１４を有する。
【００４４】
アンテナＡ１〜アンテナＡ３それぞれは、複数のアンテナ素子を有する指向性アンテナとして構成される。一方、アンテナＡ４は、無指向性アンテナとして構成される。ＲＦ部１１１〜ＲＦ部１１４それぞれは、低雑音増幅器、ダウンコンバータ、パワーアンプ、アップコンバータなどを含む。
【００４５】
信号処理部１１５は、ベースバンド帯において、変調および復調処理や、符号化および復号処理などを行う。また、信号処理部１１５は、無線品質に応じて変調方式（変調クラス）を適応的に切り替える適応変調処理を行う。適応変調では、無線品質が高いほど、１シンボル当たりのビット数が多い変調方式が用いられる。
【００４６】
無線通信部１０１のＲＦ部１１１は、アンテナＡ１が無線端末２から受信した無線信号をダウンコンバートするとともに、中間周波数（IF）信号として信号処理部１１５に渡す。信号処理部１１５は、IF信号をベースバンド処理して情報信号として再構成する。
【００４７】
制御部１２０は、ハンドオーバ制御部１３０、ヘッダ処理部１４０、パケット振分部１５１およびパケット振分部１５２を有する。
【００４８】
ヘッダ処理部１４０は、所定の圧縮率で圧縮された圧縮ヘッダを含む圧縮パケットを無線通信部１０１〜無線通信部１０４の何れかを介して無線端末２と送受信するヘッダ圧縮通信時において、無線端末２と同期がとられたコンテキスト（ヘッダ圧縮情報）を用いて、圧縮ヘッダの復元または圧縮ヘッダへの圧縮の少なくとも一方を行う。ここでヘッダ圧縮通信とは、ＳＩＰやＶｏＩＰなど、特定種別の通信セッションを介して実行される通信であり、上述したＲｏＨＣが適用されるものである。
【００４９】
ハンドオーバ制御部１３０は、無線通信部１０１〜無線通信部１０４のうち、無線端末２と接続する無線通信部（第１無線通信部）と無線端末２との間の無線品質を示す接続中セクタ品質と、無線端末２の接続切り替え先の候補となる無線通信部（第２無線通信部）と無線端末２との間の無線品質を示す候補セクタ品質とを取得する。また、ハンドオーバ制御部１３０は、無線基地局１Ａからのハンドオーバを行う際のハンドオーバ先候補となる他の無線基地局と、無線端末２との間の無線品質を示す候補セル品質とを取得する。
【００５０】
例えば、ハンドオーバ制御部１３０は、無線端末２が無線基地局１Ａから受信した無線信号の品質のフィードバックを受けることによって、接続中セクタ品質、候補セクタ品質、候補セル品質を取得できる。この場合、無線端末２は、現在接続している無線基地局のセクタと、現在接続している無線基地局の他セクタと、現在接続している無線基地局以外の無線基地局のセクタとについて、報知されている無線信号の無線品質を定期的もしくは不定期的にモニタするモニタ手段を持ち、モニタ結果を現在接続している基地局に報告する。あるいは、無線端末２から無線基地局１Ａが受信した無線信号の品質を測定することによって、接続中セクタ品質および候補セクタ品質を取得してもよい。
【００５１】
ここで、接続中セクタ品質、候補セクタ品質、候補セル品質それぞれとしては、電界強度（ＲＳＳＩ）または信号対雑音比（ＳＮＲ）等が使用できる。本実施形態では、接続中セクタ品質、候補セクタ品質、候補セル品質それぞれとして電界強度を用いるものとする。
【００５２】
ハンドオーバ制御部１３０は、無線端末２の接続先を切り替える必要が生じた場合、基地局内ハンドオーバまたは基地局間ハンドオーバを無線端末２に実行させる。また、ハンドオーバ制御部１３０は、ヘッダ圧縮通信時において無線端末２の接続先を切り替える必要が生じた場合、基地局間ハンドオーバよりも基地局内ハンドオーバを優先して無線端末２に実行させる。
【００５３】
無線端末２の接続先を切り替える必要が生じた場合とは、候補セクタ品質が接続中セクタ品質よりも高くなった場合、または候補セル品質が接続中セクタ品質よりも高くなった場合を意味する。本実施形態では、候補セクタ品質または候補セル品質の少なくとも一方を調整することにより、基地局間ハンドオーバよりも基地局内ハンドオーバを優先して無線端末２に実行させている。
【００５４】
例えば、候補セクタ品質に第１オフセットを加算することによって、候補セクタ品質が接続中セクタ品質よりも高くなる可能性を高めることができるため、基地局間ハンドオーバが実行される可能性よりも、基地局内ハンドオーバが実行される可能性を高めることができる。あるいは、候補セル品質から第２オフセットを減算することによって、候補セル品質が接続中セクタ品質よりも高くなる可能性を低めることができるため、基地局間ハンドオーバが実行される可能性よりも、基地局内ハンドオーバが実行される可能性を高めることができる。
【００５５】
基地局内ハンドオーバを無線端末２に実行させる場合、無線端末２は、当該接続先を無線通信部１０１〜無線通信部１０４の間で切り替える。基地局間ハンドオーバを無線端末２に実行させる場合、無線端末２は、当該接続先を無線基地局１Ａから他の無線基地局（例えば無線基地局１Ｂ）へ切り替える。
【００５６】
ヘッダ圧縮通信時において無線端末２が基地局内ハンドオーバを実行した後、ヘッダ処理部１４０は、無線端末２が基地局内ハンドオーバを実行する前のコンテキストを継続して用いて、圧縮ヘッダの復元または圧縮ヘッダへの圧縮の少なくとも一方を行う。
【００５７】
（２．２）ハンドオーバ制御部およびヘッダ処理部の構成
次に、ハンドオーバ制御部１３０およびヘッダ処理部１４０の詳細構成について説明する。
【００５８】
ハンドオーバ制御部１３０は、パケット種別判定部１３１、セッション種別記憶部１３２、候補品質管理部１３３、接続中品質管理部１３４、オフセット付与部１３５、ハンドオーバ候補比較部１３６およびハンドオーバ指示部１３７を有する。
【００５９】
パケット振分部１５１は、信号処理部１１５が再構築した情報信号のうち、ユーザーデータを有線通信部１６０またはヘッダ処理部１４０に振り分け、シグナリングデータ（制御データ）については、対応する機能ブロックに渡す。
【００６０】
無線端末２からのシグナリングデータには、接続中セクタ品質を報告する接続中セクタ品質報告と、候補セクタ品質および候補セル品質を報告する候補無線品質報告とが含まれる。ここで、候補無線品質報告には、どのセクタまたはセルにおける無線品質であるかを識別するために、セクタＩＤまたはセルＩＤが含まれている。
【００６１】
接続中セクタ品質報告を無線端末２から受信した場合、パケット振分部１５１は、接続中セクタ品質報告を接続中品質管理部１３４に渡す。候補無線品質報告を無線端末２から受信した場合、パケット振分部１５１は、候補無線品質報告を候補品質管理部１３３に渡す。
【００６２】
候補品質管理部１３３は、候補セクタ品質および候補セル品質をセクタＩＤまたはセルＩＤと対応付けて保存および管理する。候補品質管理部１３３は、保存された候補セクタ品質および候補セル品質のうち最も高い品質のものを抽出する機能も有する。一方、接続中品質管理部１３４は、接続中セクタ品質を保存および管理する。
【００６３】
パケット種別判定部１３１は、ユーザーデータをモニタし、通信がSIPプロトコルであるのか、HTTPプロトコルであるのかを判定する。SIPプロトコルであれば、パケット種別判定部１３１は、ヘッダ処理部１４０に対してRoHCを起動させると共に、無線基地局１Ａ内と無線端末２間で共通のコンテキストを強く維持する必要があるセッション種別であると判定し、その旨をセッション種別記憶部１３２に記憶させる。
【００６４】
一方、HTTPプロトコルである場合、パケット種別判定部１３１は、RｏHCパケットがヘッダ処理部１４０を経由しないようにパケット振分部１５１を制御すると共に、共通のコンテキストを強く維持する必要がないセッション種別であると判定して、その旨をセッション種別記憶部１３２に記憶させる。
【００６５】
オフセット付与部１３５は、候補品質管理部１３３が管理する、候補セル品質（すなわち、他基地局のセクタの無線品質）のうち一番高いものと、候補セクタ品質（すなわち、自基地局の他セクタの無線品質）のうち一番高いものとを比較し、より高い方の無線品質を出力する。
【００６６】
ただし、セッション種別記憶部１３２の記憶内容が、コンテキストを強く維持する必要があるセッション種別であると記憶されている場合は、オフセット付与部１３５は、候補セクタ品質のうち一番高いものにオフセット（第１オフセット）を加えた値を出力する。
【００６７】
ハンドオーバ候補比較部１３６は、ハンドオーバの起動判断を行う。ハンドオーバの判断の為に、接続中品質管理部１３４によって管理されている接続中セクタ品質と、オフセット付与部１３５の出力値とを比較する。そして、ハンドオーバ候補比較部１３６は、オフセット付与部１３５の出力値が、接続中セクタ品質よりも高い場合に、ハンドオーバを行うと決定する。
【００６８】
以上の処理により、基地局間ハンドオーバが決定された場合は、ハンドオーバ指示部１３７は、該当する他基地局のセクタを指定するハンドオーバ指示を無線端末２に通知する。また、自基地局の他セクタへのハンドオーバが決定された場合は、ハンドオーバ指示部１３７は、該当するセクタを指定するハンドオーバ指示を無線端末２に送信する。例えば、これらのハンドオーバ指示には、ハンドオーバ先を識別するセルＩＤやセクタＩＤが含まれる。
【００６９】
無線端末２は、接続先の無線基地局からハンドオーバ指示を受信した場合、指示されたセクタ（およびセル）へハンドオーバを実施する。このように、本実施形態では、無線基地局１Ａがハンドオーバ先を指定する、いわゆる基地局主導型のハンドオーバの手法が採用されている。
【００７０】
また、ヘッダ処理部１４０は、ＲｏＨＣデコンプレッサ１４１、ＲｏＨＣコンテキスト管理部１４２およびＲｏＨＣコンプレッサ１４３を有する。ＲｏＨＣデコンプレッサ１４１は、ＲｏＨＣに従って圧縮ヘッダの復元を行う。
【００７１】
ＲｏＨＣコンテキスト管理部１４２は、コンテキストを管理する。ＲｏＨＣコンテキスト管理部１４２は、無線端末２がSIPセッション中に基地局内ハンドオーバを実施した場合には、コンテキストを維持したままとし、無線端末２が基地局間ハンドオーバを実施した場合には、コンテキストを破棄する。
【００７２】
無線端末２においても、SIPセッション中に基地局内ハンドオーバを実施した場合には、コンテキストを維持したままとし、基地局間ハンドオーバを実施した場合には、コンテキストを破棄する。
【００７３】
ＲｏＨＣコンプレッサ１４３は、ＲｏＨＣに従って圧縮ヘッダへの圧縮を行う。なお、パケット振分部１５２は、有線通信部１６０から入力されたパケットがＲｏＨＣパケットであるか否かに応じてパケットの振り分けを行う。
【００７４】
（３）無線基地局の動作
次に、無線基地局１Ａの動作について、（３．１）無線基地局の動作例、（３．２）無線基地局の動作フローの順に説明する。
【００７５】
（３．１）無線基地局の動作例
次に、図５および図６を用いて、無線基地局１Ａの動作例について説明する。
【００７６】
図５の例では、無線基地局１Ａに隣接して、セルＳ１Ｂを形成する無線基地局１Ｂが設置されている。
【００７７】
無線端末２は、無線基地局１Ａの無線通信部１０１（セクタＳＣ１Ａ）に接続しており、時刻T1において位置L1に存在し、時刻T2にかけて位置L2まで移動している。その際、無線端末２は、セクタＳＣ１Ａから、セクタＳＣ４Ａと、無線基地局１ＢのセクタＳＣ２Ｂとが重複する領域に移動している。
【００７８】
図６は、無線端末２が各セクタにおいて受信する無線信号の電界強度を示す。
【００７９】
時刻T1では無線基地局１ＡのセクタＳＣ１Ａの電界強度が支配的であり、無線端末２はセクタＳＣ１Ａに接続している。
【００８０】
この状態では、無線端末２は、安易なハンドオーバを繰り返す事を避ける為に、接続先セクタの電界強度にオフセットｏｆｆ１を加えて、候補セクタ品質および候補セル品質（電界強度）と比較を行う。
【００８１】
時刻P2に近づくに従い、無線端末２は、無線基地局１ＡのセクタＳＣ４Ａからの信号を受信し始めるとともに、無線基地局１ＢのセクタＳＣ２Ｂからの信号を受信し始める。
【００８２】
今ここで、共通のコンテキストを強く維持する必要がないセッション種別である場合は、接続中セクタ品質にオフセットｏｆｆ１を加えた後の電界強度よりも、無線基地局１ＢのセクタＳＣ２Ｂにおける電界強度が高くなる時刻P1において、無線端末２は、セクタＳＣ２Ｂにハンドオーバを行う。この場合、他セクタの信号にオフセットｏｆｆ２が付加されていないため、単純にその時点で一番電界強度の高いセクタが選択される。結果的に、他基地局への基地局間ハンドオーバとなる。
【００８３】
同様の条件下で、無線基地局１Ａと無線端末２との間で共通のコンテキストを強く維持する必要があるセッション種別である場合には、無線基地局１ＡのセクタであるセクタＳＣ４Ａの電界強度にオフセットｏｆｆ２を加えた値との比較となる。このため、時刻P1において、無線端末２は、セクタＳＣ４Ａへのハンドオーバを行う事になる。つまり、基地局内ハンドオーバとなる。
【００８４】
（３．２）無線基地局の動作フロー
図７は、無線基地局１Ａの動作フローの一例を示すフローチャートである。当該動作フローは、無線基地局１Ａに接続する各無線端末について実行される。
【００８５】
ステップＳ１０１において、候補品質管理部１３３は、候補セル品質（すなわち、他基地局のセクタの電界強度）のうち一番高いものを無線品質Ａとしてオフセット付与部１３５に出力する。
【００８６】
ステップＳ１０２において、候補品質管理部１３３は、候補セクタ品質（すなわち、自基地局の他セクタの電界強度）のうち一番高いものを無線品質Ｂとしてオフセット付与部１３５に出力する。オフセット付与部１３５は、無線品質Ｂにオフセットを加える。
【００８７】
ステップＳ１０３において、オフセット付与部１３５は、無線品質Ａと、オフセット付きの無線品質Ｂとを比較し、より高い方を無線品質Ｃとしてハンドオーバ候補比較部１３６に出力する。
【００８８】
ステップＳ１０４において、ハンドオーバ候補比較部１３６は、無線品質Ｃが接続中セクタ品質（すなわち、接続中セクタの電界強度）Ｄよりも高いか否かを判定する。無線品質Ｃが無線品質Ｄよりも高い場合、ステップＳ１０５においてハンドオーバ指示部１３７は、ハンドオーバを無線端末２に指示する。
【００８９】
具体的には、無線品質Ｃが無線品質Ｄよりも高く、且つ、オフセット付きの無線品質Ｂが無線品質Ａよりも高い場合、ハンドオーバ指示部１３７は、当該無線品質Ｂに対応するセクタへの基地局内ハンドオーバを無線端末２に指示する。
【００９０】
一方、無線品質Ｃが無線品質Ｄよりも高く、且つ、無線品質Ａが、オフセット付きの無線品質Ｂよりも高い場合、ハンドオーバ指示部１３７は、当該無線品質Ａに対応する他基地局のセクタへの基地局間ハンドオーバを無線端末２に指示する。
【００９１】
（４）作用・効果
無線基地局１Ａによれば、ヘッダ圧縮通信時において無線端末２の接続先を切り替える必要が生じた場合、基地局間ハンドオーバよりも基地局内ハンドオーバを優先して無線端末２に実行させるため、無線端末２がヘッダ圧縮技術を利用して圧縮パケットを送受信していても、基地局間ハンドオーバに伴う通信品質の劣化を抑制できる。
【００９２】
具体的には、無線基地局１Ａは、セッション毎に、基地局内と無線端末２間で共通のコンテキストを強く維持する必要があるセッション種別か否かを区別することにより、もし必要となるセッション種別の場合は、同一基地局内のセクタの無線状況にオフセットを加える処理を行う。この結果、同一基地局内の別のセクタが選択され、基地局内ハンドオーバとなる可能性があがる事により、コンテキストを引き継ぐ事ができ、コンテキストの再確立の為のオーバーヘッドを削減する事が可能となる。
【００９３】
これはRoHCを用いたVoIPセッションの場合は基地局間ハンドオーバによるコンテキスト再確立の為の主観的音声品質の劣化を避ける事が可能となる。
【００９４】
反対に、共通のコンテキストを強く維持する必要がないセッション種別の場合は、同一基地局内のセクタの無線状況にオフセットは加えられないので、今までどおり同一基地局/他基地局に無関係で最適な無線状況のセクタが選択される為、最適なスループットを得る事ができる。特に、適応変調を使用したデータ通信主体のシステムでは、スループットを重視する事が多い。このため、より電波状況の良い無線基地局へのハンドオーバを積極的に行うことによって、より高速な変調クラスを用いることができ、スループットを向上させることができる。
【００９５】
（５）その他の実施形態
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【００９６】
上述した実施形態では、基地局間ハンドオーバよりも基地局内ハンドオーバを優先させていたが、候補セクタ品質または候補セル品質にオフセットを与えることに代えて次のような方法でもよい。
【００９７】
例えば、無線基地局１Ａのハンドオーバ制御部１３０は、ヘッダ圧縮通信時において無線端末２の接続先を切り替える必要が生じた際（例えば、接続中セクタ品質が一定基準以下である場合）、候補セクタ品質が候補セル品質も低く、且つ、候補セクタ品質と候補セル品質との差が所定範囲内である場合、基地局内ハンドオーバを無線端末２に実行させてもよい。
【００９８】
すなわち、候補セクタ品質および候補セル品質は調整せずに、候補セクタ品質と候補セル品質との差が所定範囲内であれば基地局内ハンドオーバを無線端末２に実行させることで、基地局間ハンドオーバよりも基地局内ハンドオーバを優先させることができる。
【００９９】
あるいは、自基地局の各セクタにおける無線品質が閾値よりも低い場合に基地局間ハンドオーバが実行されるシステムでは、次のような方法も取り得る。具体的には、ハンドオーバ制御部１３０は、ヘッダ圧縮通信とは異なる種別の通信時において、予め定められた第１閾値よりも低い場合、基地局間ハンドオーバを無線端末２に実行させる。一方、ヘッダ圧縮通信時において、ハンドオーバ制御部は、接続中セクタ品質および候補セクタ品質が、第１閾値よりも高く設定された第２閾値よりも低い場合、基地局間ハンドオーバを無線端末２に実行させる。このような処理によっても、基地局間ハンドオーバよりも基地局内ハンドオーバを優先させることができる。
【０１００】
上述した実施形態では、ＲｏＨＣによるヘッダ圧縮が実施される場合について説明したが、コンテキストを用いる他のヘッダ圧縮技術（例えば、ＣＲＴＰ(Compressed Real Time Protocol)など）に対しても、本発明を適用可能である。
【０１０１】
このように本発明は、ここでは記載していない様々な実施形態等を包含するということを理解すべきである。したがって、本発明はこの開示から妥当な特許請求の範囲の発明特定事項によってのみ限定されるものである。
【図面の簡単な説明】
【０１０２】
【図１】本発明の実施形態に係る通信システムの概略構成図である。
【図２】本発明の実施形態に係る無線基地局のセル構成の一例を示す図である。
【図３】本発明の実施形態に係る無線基地局のセル配置の一例を示す図である。
【図４】本発明の実施形態に係る無線基地局の構成を示す機能ブロック図である。
【図５】本発明の実施形態に係る無線基地局の動作の具体例を説明するための図である。
【図６】本発明の実施形態に係る無線基地局の動作の具体例を説明するための図である。
【図７】本発明の実施形態に係る無線基地局の動作フローの一例を示すフローチャートである。
【符号の説明】
【０１０３】
１Ａ，１Ｂ，１Ｃ…無線基地局、２…無線端末、３…ＳＩＰサーバ、４…ＳＩＰ電話機、５…インターネット、１０…通信システム、１０１〜１０４…無線通信部、１１１〜１１４…ＲＦ部、１１５…信号処理部、１２０…制御部、１３０…ハンドオーバ制御部、１３１…パケット種別判定部、１３２…セッション種別記憶部、１３３…候補品質管理部、１３４…接続中品質管理部、１３５…オフセット付与部、１３６…ハンドオーバ候補比較部、１３７…ハンドオーバ指示部、１４０…ヘッダ処理部、１４１…ＲｏＨＣデコンプレッサ、１４２…ＲｏＨＣコンテキスト管理部、１４３…ＲｏＨＣコンプレッサ、１５１…パケット振分部、１５２…パケット振分部、１６０…有線通信部
【図１】
2010154367.tif 000003
【図２】
2010154367.tif 000004
【図３】
2010154367.tif 000005
【図４】
2010154367.tif 000006
【図５】
2010154367.tif 000007
【図６】
2010154367.tif 000008
【図７】
2010154367.tif 000009